(57)【要約】【課題】放送装置側で音声出力状況を監視して放送受信装置側での監視を不要とする放送システムを提供すること。【解決手段】放送装置１２０が、音声コンテンツに基づいて放送音声信号を生成する放送音声信号生成手段１２２と、種々の信号を送受する通信手段１２３と、放送音声信号に基づいて放送音声音量データを生成する放送音声音量データ生成手段１２４と、受信音量データと放送音声音量データとを視覚的に表示する音量データ表示手段１２５とを有し、放送受信装置１３０が、種々の信号を送受する通信手段１３１と、放送音声信号に基づいて受信音量データを生成する受信音量データ生成手段１３２と、放送音声信号を増幅して増幅放送音声信号を生成する放送音声増幅手段１３３と、回線選択手段１３４によって伝送された増幅放送音声信号に応じて音声を出力する複数の音声出力手段１３５とを有するよう構成する。【選択図】  図１
2004221929.tif 000002
【特許請求の範囲】
【請求項１】
複数の音声コンテンツに基づいて放送音声信号を生成する放送装置と、前記放送装置とネットワークを介して接続され、前記放送装置によって前記ネットワークを介して送信された前記放送音声信号に基づいて再生される音声の音量データである受信音量データを生成する１つまたは複数の放送受信装置とを備え、前記放送装置が、前記複数の音声コンテンツから１つまたは複数の音声コンテンツを選択させる音声コンテンツ選択手段と、選択された音声コンテンツに基づいて放送音声信号を生成する放送音声信号生成手段と、前記放送音声信号を前記各放送受信装置に前記ネットワークを介して送信する信号送信手段と、前記放送音声信号に基づいて放送音声音量データを生成する放送音声音量データ生成手段と、前記受信音量データを受信する音量データ受信手段と、受信された前記受信音量データと前記放送音声音量データとを視覚的に表示する音量データ表示手段とを有し、前記各放送受信装置が、前記放送装置から前記放送音声信号を受信する受信手段と、受信された前記放送音声信号に基づいて前記受信音量データを生成する受信音量データ生成手段と、前記受信音量データを前記放送装置に前記ネットワークを介して送信する音量データ送信手段と、前記放送音声信号を増幅して増幅放送音声信号を生成する放送音声増幅手段と、前記増幅放送音声信号に応じて音声を出力する複数の音声出力手段と、前記放送音声増幅手段を前記各音声出力手段に電気的に接続する前記音声出力手段毎の回線および前記各回線の開閉を選択させる回線毎のスイッチからなる回線選択手段とを有することを特徴とする放送システム。
【請求項２】
前記各放送受信装置が、前記各回線を介して伝送された増幅放送音声信号に基づいて前記各回線毎の増幅音量データを生成する増幅音量データ生成手段を有し、前記各放送受信装置の音量データ送信手段が、前記受信音量データに加えて前記増幅音量データを前記放送装置に前記ネットワークを介して送信し、前記放送装置の音量データ表示手段が、前記受信音量データと前記放送音声音量データとに加えて前記音量データ受信手段が受信した前記各増幅音量データを視覚的に表示することを特徴とする請求項１に記載の放送システム。
【請求項３】
前記放送装置の音量データ表示手段が、前記放送装置から前記放送受信装置までの前記放送音声信号の伝送時間と前記放送受信装置から前記放送装置までの前記受信音量データの伝送時間とを加算して得られる表示遅延時間を予め登録し、前記放送音声音量データを前記表示遅延時間だけ遅延して視覚的に表示することを特徴とする請求項２に記載の放送システム。
【請求項４】
前記各放送受信装置の受信音量データ生成手段が、前記放送音声信号の低周波成分を通過させる第１の低域通過フィルタを有し、前記受信音量データ生成手段が、前記第１の低域通過フィルタを通過した信号に基づいて受信音量データを生成し、前記各放送受信装置の増幅音量データ生成手段が、前記増幅放送音声信号の低周波成分を通過させる第２の低域通過フィルタを有し、前記増幅音量データ生成手段が、前記第２の低域通過フィルタを通過した信号に基づいて増幅音量データを生成することを特徴とする請求項２又は請求項３に記載の放送システム。
【請求項５】
前記各放送受信装置の受信音量データ生成手段が、前記放送音声信号を所定時間間隔でサンプリングして受信音量データを生成し、前記各放送受信装置の増幅音量データ生成手段が、前記増幅放送音声信号を所定時間間隔でサンプリングして増幅音量データを生成することを特徴とする請求項２乃至請求項４の何れかに記載の放送システム。
【請求項６】
前記各放送受信装置の受信音量データ生成手段が、前記受信音量データを量子化して所定のビット数のデジタルデータに変換し、前記各放送受信装置の増幅音量データ生成手段が、前記増幅音量データを量子化して所定のビット数のデジタルデータに変換することを特徴とする請求項５に記載の放送システム。
【請求項７】
前記各放送受信装置の受信音量データ生成手段が、前記受信音量データを所定の基準値からの相対値として生成し、前記各放送受信装置の増幅音量データ生成手段が、前記増幅音量データを所定の基準値からの相対値として生成する、ことを特徴とする請求項２乃至請求項６の何れかに記載の放送システム。
【請求項８】
前記放送装置が、前記受信音量データのデータ量を調節するための受信音量データ量調節信号と、前記増幅音量データのデータ量を調節するための増幅音量データ量調節信号とを生成する手段を有し、前記放送装置の信号送信手段が、前記音声調節信号と前記増幅音量調節信号とを前記各放送受信装置に前記ネットワークを介して送信し、前記各放送受信装置の受信音量データ生成手段が、前記受信手段が受信した前記受信音量データ量調節信号に基づいて前記受信音量データのデータ量を調節し、前記各放送受信装置の増幅音量データ生成手段が、前記受信手段が受信した前記増幅音量データ量調節信号に基づいて前記増幅音量データのデータ量を調節することを特徴とする請求項２乃至請求項７の何れかに記載の放送システム。
【請求項９】
前記放送装置が、前記音声の音量と音質とを調節するための音声調節信号を前記放送受信装置毎に生成する手段を有し、前記放送装置の信号送信手段が、前記音声調節信号を前記各放送受信装置に前記ネットワークを介して送信し、前記各放送受信装置の放送音声増幅手段が、前記受信手段が受信した前記音声調節信号に基づいて前記音声の音量と音質とを調節することを特徴とする請求項１乃至請求項８の何れかに記載の放送システム。
【請求項１０】
前記放送装置が、前記各放送受信装置の各回線の開閉を選択するための回線選択信号を生成する手段を有し、前記放送装置の信号送信手段が、前記回線選択信号を前記各放送受信装置に前記ネットワークを介して送信し、前記各放送受信装置の回線選択手段が、前記受信手段が受信した前記回線選択信号に基づいて前記各回線の開閉を選択することを特徴とする請求項１乃至請求項９の何れかに記載の放送システム。
【請求項１１】
前記放送装置の放送音声信号生成手段が、前記放送受信装置内の宛先の情報を含めて放送音声信号を生成し、前記放送装置の信号送信手段が、前記放送音声信号を前記各放送受信装置に前記ネットワークを介してそれぞれ送信し、前記各放送受信装置に、前記放送音声増幅手段、前記回線選択手段、前記増幅音量データ生成手段、及び前記各音声出力手段を含む構成の放送出力手段を複数設け、さらに、前記受信手段が受信した前記放送音声信号に含まれた前記宛先の情報に基づいて、前記放送音声信号を前記各放送出力手段に出力する手段を設けたことを特徴とする請求項２乃至請求項１０の何れかに記載の放送システム。
【請求項１２】
前記放送装置と前記各放送受信装置との送受信が、インターネットプロトコルに準拠して行われることを特徴とする請求項１乃至請求項１１の何れかに記載の放送システム。
【発明の詳細な説明】
【０００１】
【発明の属する技術分野】
本発明は、音声や背景音楽などの音声コンテンツを所定の場所にネットワークを介して放送する構内放送等を行う放送システムに関する。
【０００２】
【従来の技術】
従来の放送システムとしては、例えば、特許文献１に開示されたものが知られており、大学などの教育機関で行われる講義や授業等の放送番組を放送装置から各放送受信装置にネットワークを介して放送するものがある。この種の放送システムは、放送装置側の管理者と各放送受信装置側の管理者とによって運用され、各放送装置の管理者が放送装置から放送された番組などをその内容に応じて音量及び音質を調節するようになっていた。
【０００３】
【特許文献１】
特開平８−７７１３６号公報
【０００４】
【発明が解決しようとする課題】
しかしながら、従来の放送システムでは、放送受信装置側の音声出力状況は、放送受信装置側の管理者と放送装置側の管理者が電話で連絡をするなどして確認する必要があるため、運用効率が悪く、運用費用に多大な人件費等を要するという問題があった。
本発明はこのような問題を解決するためになされたもので、放送装置側で音声出力状況を監視して放送受信装置側での監視を不要とし、もって運用のコストダウンを図ることができる放送システムを提供するものである。
【０００５】
【課題を解決するための手段】
本発明の放送システムは、複数の音声コンテンツに基づいて放送音声信号を生成する放送装置と、前記放送装置とネットワークを介して接続され、前記放送装置によって前記ネットワークを介して送信された前記放送音声信号に基づいて再生される音声の音量データである受信音量データを生成する１つまたは複数の放送受信装置とを備え、前記放送装置が、前記複数の音声コンテンツから１つまたは複数の音声コンテンツを選択させる音声コンテンツ選択手段と、選択された音声コンテンツに基づいて放送音声信号を生成する放送音声信号生成手段と、前記放送音声信号を前記各放送受信装置に前記ネットワークを介して送信する信号送信手段と、前記放送音声信号に基づいて放送音声音量データを生成する放送音声音量データ生成手段と、前記受信音量データを受信する音量データ受信手段と、受信された前記受信音量データと前記放送音声音量データとを視覚的に表示する音量データ表示手段とを有し、前記各放送受信装置が、前記放送装置から前記放送音声信号を受信する受信手段と、受信された前記放送音声信号に基づいて前記受信音量データを生成する受信音量データ生成手段と、前記受信音量データを前記放送装置に前記ネットワークを介して送信する音量データ送信手段と、前記放送音声信号を増幅して増幅放送音声信号を生成する放送音声増幅手段と、前記増幅放送音声信号に応じて音声を出力する複数の音声出力手段と、前記放送音声増幅手段を前記各音声出力手段に電気的に接続する前記音声出力手段毎の回線と、前記各回線の開閉を選択させる回線毎のスイッチとからなる回線選択手段とを備えた構成を有している。
この構成により、送信側で設定した放送音声信号の再生音量データと、放送音声信号を受信側で再生したときの音量データとを放送装置側で視覚的に表示して比較できるため、放送装置側で音声出力状況を監視して放送受信装置側での監視を不要とし、もって運用のコストダウンを図ることができる。
【０００６】
また、本発明の放送システムは、前記各放送受信装置が、前記各回線を介して伝送された増幅放送音声信号に基づいて前記各回線毎の増幅音量データを生成する増幅音量データ生成手段を有し、前記各放送受信装置の音量データ送信手段が、前記受信音量データに加えて前記増幅音量データを前記放送装置に前記ネットワークを介して送信し、前記放送装置の音量データ表示手段が、前記受信音量データと前記放送音声音量データとに加えて前記音量データ受信手段が受信した前記各増幅音量データを視覚的に表示することを備えた構成を有している。
この構成により、送信側で設定した放送音声信号の再生音量データと、放送音声信号を受信側で再生したときの音量データと、増幅放送音声信号の音量データとを放送装置側で視覚的に表示して比較できるため、放送受信装置に音声が出力されないといった問題発生時の被疑個所を容易に特定できる。
【０００７】
また、本発明の放送システムは、前記放送装置の音量データ表示手段が、前記放送装置から前記放送受信装置までの前記放送音声信号の伝送時間と前記放送受信装置から前記放送装置までの前記受信音量データの伝送時間とを加算して得られる表示遅延時間を予め登録し、前記放送音声音量データを前記表示遅延時間だけ遅延して視覚的に表示することを備えた構成を有している。
この構成により、放送音声音量データを前記表示遅延時間だけ遅延して視覚的に表示するため、放送受信装置が出力する放送音声の音量の変動と放送受信装置が出力する放送音声の音量の変動とを一致させるように表示することができるため、音声出力状況が把握し易くなる。
【０００８】
また、本発明の放送システムは前記各放送受信装置の受信音量データ生成手段が、前記放送音声信号の低周波成分を通過させる第１の低域通過フィルタを有し、前記受信音量データ生成手段が、前記第１の低域通過フィルタを通過した信号に基づいて受信音量データを生成し、前記各放送受信装置の増幅音量データ生成手段が、前記増幅放送音声信号の低周波成分を通過させる第２の低域通過フィルタを有し、前記増幅音量データ生成手段が、前記第２の低域通過フィルタを通過した信号に基づいて増幅音量データを生成することを備えた構成を有している。
この構成により、放送音声信号の受信音量データと増幅放送音声信号の音量データとを低域通過フィルタを通過した信号に基づいて生成することにしたため、放送装置に送信する音量データのデータ量を削減できるため、放送装置およびネットワークの負荷を軽減できる。
【０００９】
また、本発明の放送システムは、前記各放送受信装置の受信音量データ生成手段が、前記放送音声信号を所定時間間隔でサンプリングして受信音量データを生成し、前記各放送受信装置の増幅音量データ生成手段が、前記増幅放送音声信号を所定時間間隔でサンプリングして増幅音量データを生成することを備えた構成を有している。
この構成により、放送音声信号の受信音量データの量と増幅放送音声信号の音量データの量とをさらに少なく調節して放送装置に送信するため、放送装置およびネットワークの負荷を軽減できる。
【００１０】
また、本発明の放送システムは、前記各放送受信装置の受信音量データ生成手段が、前記受信音量データを量子化して所定のビット数のデジタルデータに変換し、前記各放送受信装置の増幅音量データ生成手段が、前記増幅音量データを量子化して所定のビット数のデジタルデータに変換することを備えた構成を有している。
この構成により、放送音声信号の受信音量データの量と増幅放送音声信号の音量データの量とをさらに少なく調節して放送装置に送信するため、放送装置およびネットワークの負荷を軽減できる。
【００１１】
また、本発明の放送システムは、前記各放送受信装置の受信音量データ生成手段が、前記受信音量データを所定の基準値からの相対値として生成し、前記各放送受信装置の増幅音量データ生成手段が、前記増幅音量データを所定の基準値からの相対値として生成することを備えた構成を有している。
この構成により、人の聴覚を基準にして放送受信装置が出力する放送音声の音量と放送受信装置が出力する放送音声の音量とが表示されるため、音声出力状況が把握し易くなる。
【００１２】
また、本発明の放送システムは、前記放送装置が、前記受信音量データのデータ量を調節するための音量調節信号と、前記増幅音量データのデータ量を調節するための増幅音量調節信号とを生成する手段を有し、前記放送装置の信号送信手段が、前記音声調節信号と前記増幅音量調節信号とを前記各放送受信装置に前記ネットワークを介して送信し、前記各放送受信装置の受信音量データ生成手段が、前記受信手段が受信した前記音量調節信号に基づいて前記受信音量データのデータ量を調節し、前記各放送受信装置の増幅音量データ生成手段が、前記受信手段が受信した前記増幅音量調節信号に基づいて前記増幅音量データのデータ量を調節することを備えた構成を有している。
この構成により、放送装置によって音量データのデータ量を調節して放送装置に送信するため、放送装置およびネットワークの負荷を軽減できる。
【００１３】
また、本発明の放送システムは、前記放送装置が、前記音声の音量と音質とを調節するための音声調節信号を生成する手段を有し、前記放送装置の信号送信手段が、前記音声調節信号を前記各放送受信装置に前記ネットワークを介して送信し、前記各放送受信装置の放送音声増幅手段が、前記受信手段が受信した前記音声調節信号に基づいて前記音声の音量と音質とを調節することを備えた構成を有している。
この構成により、放送受信装置の音量及び音質を放送装置で操作するため、放送受信装置の音声出力状況を確認でき、放送受信装置の管理を容易にすることができる。
【００１４】
また、本発明の放送システムは、前記放送装置が、前記各放送受信装置の各回線の開閉を選択するための回線選択信号を生成する手段を有し、前記放送装置の信号送信手段が、前記回線選択信号を前記各放送受信装置に前記ネットワークを介して送信し、前記各放送受信装置の回線選択手段が、前記受信手段が受信した前記回線選択信号に基づいて前記各回線の開閉を選択することを備えた構成を有している。
この構成により、放送受信装置の回線を放送装置で操作するため、放送受信装置の音声出力状況を確認でき、放送受信装置の管理を容易にすることができる。
【００１５】
また、本発明の放送システムは、前記放送装置の放送音声信号生成手段が、前記放送受信装置内の宛先の情報を含めて放送音声信号を生成し、前記放送装置の信号送信手段が、前記放送音声信号を前記各放送受信装置に前記ネットワークを介してそれぞれ送信し、前記各放送受信装置に、前記放送音声増幅手段、前記回線選択手段、前記増幅音量データ生成手段、及び前記各音声出力手段を含む構成の放送出力手段を複数設け、さらに、前記受信手段が受信した前記放送音声信号に含まれた前記宛先の情報に基づいて、前記放送音声信号を前記各放送出力手段に出力する手段を設けたことを備えた構成を有している。
この構成により、放送される場所が複数存在した場合でも、音声出力状況を放送装置で監視することができる。
【００１６】
また、本発明の放送システムは、前記放送装置と前記各放送受信装置との送受信が、インターネットプロトコルに準拠して行われることを備えた構成を有している。
この構成により、安価な設備で放送装置と各放送受信装置との通信を行うことができる。
【００１７】
【発明の実施の形態】
以下、本発明の実施の形態について、図面を用いて説明する。
（第１の実施の形態）
図１は、本発明の第１の実施の形態の放送システムのシステム構成を示す図である。本発明の第１の実施の形態の放送システム１００は、音声信号を送信する放送装置１２０、受信した音声信号に応じて音声を出力する放送受信装置１３０、種々の信号を伝送するネットワーク１４０、及び放送装置１２０を制御する操作器１１０によって構成される。なお、放送装置１２０は、例えば百貨店の本店の放送管理室などに設置され、放送受信装置１３０は、百貨店の本店、各支店などに１つまたは複数設置されて、音声信号に応じて音声を出力するようにしてもよい。
また、放送装置１２０は、音声コンテンツを選択させる音声コンテンツ選択手段１２１、放送音声信号を生成する放送音声信号生成手段１２２、放送受信装置１３０との種々の信号を送受する通信手段１２３、放送音声の音量データを生成する放送音声音量データ生成手段１２４、及び音量データを視覚的に表示する音量データ表示手段１２５によって構成される。
放送受信装置１３０は、放送装置１２０との種々の信号を送受する通信手段１３１、受信音量データを生成する受信音量データ生成手段１３２、受信した放送音声信号を増幅する放送音声増幅手段１３３、各回線の開閉を選択させ選択された各回線を介して増幅放送音声信号を伝送する回線選択手段１３４、及び増幅放送音声信号に応じて音声を出力する音声出力手段１３５によって構成される。
【００１８】
操作器１１０は、音声コンテンツ選択手段１２１が有する複数の音声コンテンツの中から所定の音声コンテンツを選択するようになっている。また、操作器１１０は、専用コントローラの他、パーソナルコンピュータなどで構成され、定期的に所定の音声コンテンツを選択する制御プログラムによって制御される。
音声コンテンツとは、例えば、アナウンスされる音声、背景音楽、ラジオ放送の番組、または有線放送の番組等であり、これらを選択する。
【００１９】
音声コンテンツ選択手段１２１は、複数の音声コンテンツから１つまたは複数の音声コンテンツを選択させるようになっている。
音声コンテンツ選択手段１２１は、複数のマイク、ＣＤ、メモリカード再生機などを備えており、ラジオ放送の番組、及び有線放送の番組などを再生するようになっている。また、ＢＧＭ、ラジオ放送の番組、及び有線放送の番組等、これらとアナウンスされる音声とをデジタルミキサーを設けて、デジタルミキサーによって合成してもよい。
音声コンテンツ選択手段１２１は、選択された音声コンテンツを放送音声信号生成手段１２２に出力するようになっている。
【００２０】
放送音声信号生成手段１２２は、選択された音声コンテンツに基づいて放送音声信号を生成するようになっている。放送音声信号生成手段１２２には、音声コンテンツ選択手段１２１によって出力された音声コンテンツが入力され、音声コンテンツに基づいて放送音声信号を生成し、生成された放送音声信号を放送音声音量データ生成手段１２４に出力すると共に、放送音声信号に指定された放送受信装置１３０の宛先を示す情報を含めて通信手段１２３に出力するようになっている。
【００２１】
通信手段１２３は、本発明の信号送信手段及び音量データ受信手段を構成し、放送音声信号を各放送受信装置１３０にネットワーク１４０を介して送信するようになっている。
通信手段１２３には、放送音声信号生成手段１２２によって出力された放送音声信号が入力され、放送音声信号に含まれる宛先の情報に基づいて放送受信装置１３０に放送音声信号をネットワーク１４０を介して送信するようになっている。
また、通信手段１２３は、各放送受信装置１３０によって送信されたデータであって、再生される音声の音量データである受信音量データをネットワーク１４０を介して受信し、受信された受信音量データを音量データ表示手段１２５に出力するようになっている。
なお、通信手段１２３が行う送受信は、インターネットプロトコルに準拠したものでもよい。
【００２２】
放送音声音量データ生成手段１２４は、放送音声信号に基づいて放送音声音量データを生成するようになっている。
放送音声音量データ生成手段１２４には、放送音声信号生成手段１２２によって出力された放送音声信号が入力され、放送音声信号に基づいて放送音声音量データを生成し、生成された放送音声音量データを音量データ表示手段１２５に出力するようになっている。
【００２３】
音量データ表示手段１２５は、通信手段１２３によって出力された受信音量データと放送音声音量データ生成手段１２４によって出力された放送音声音量データとが入力され、受信音量データと放送音声音量データとを視覚的に表示するようになっている。なお、受信音量データと放送音声音量データが音声信号である場合には、音量データ表示手段１２５は、音声を出力するようにしてもよい。
【００２４】
通信手段１３１は、本発明の受信手段及び音量データ送信手段を構成し、放送装置１２０によって送信された放送音声信号をネットワーク１４０を介して受信し、受信された放送音声信号を受信音量データ生成手段１３２と放送音声増幅手段１３３とに出力するようになっている。
また、通信手段１３１には、受信音量データ生成手段１３２によって出力された受信音量データが入力され、受信音量データを放送装置１２０にネットワーク１４０を介して送信する。
なお、通信手段１３１が行う送受信は、インターネットプロトコルに準拠したものでもよい。
【００２５】
受信音量データ生成手段１３２は、放送音声信号に基づいて受信音量データを生成するようになっている。
受信音量データ生成手段１３２は、通信手段１３１によって出力された放送音声信号に基づいて受信音量データを生成し、生成された受信音量データを通信手段１３１に出力するようになっている。
【００２６】
放送音声増幅手段１３３は、放送音声信号を増幅して増幅放送音声信号を生成するようになっている。
放送音声増幅手段１３３には、通信手段１３１によって出力された放送音声信号が入力され、放送音声信号を増幅して生成した増幅放送音声信号を回線選択手段１３４に出力するようになっている。
【００２７】
回線選択手段１３４は、放送音声増幅手段１３３を各音声出力手段１３５に電気的に接続する音声出力手段１３５毎の各回線の開閉を選択させる回線毎のスイッチからなっている。回線選択手段１３４は、放送音声増幅手段１３３によって出力された増幅放送音声信号が入力され、予め選択され閉じている各回線を介して音声出力手段１３５に増幅放送音声信号を伝送するようになっている。
【００２８】
音声出力手段１３５は、回線を介して伝送された増幅放送音声信号に応じて音声を出力するようになっている。
音声出力手段１３５は、スピーカなど、増幅放送音声信号に応じて音声を出力する手段であれば、如何なるものでもよい。なお、音声出力手段１３５は、建物の部屋毎に設置されてもよい。
【００２９】
以下、放送システム１００の放送装置１２０及び放送受信装置１３０の動作について説明する。
まず、音声コンテンツは、操作器１１０によって選択され、音声コンテンツ選択手段１２１によってアナウンスされる音声等と合成され、放送音声信号生成手段１２２に出力される。
【００３０】
次に、放送音声信号は、音声コンテンツに基づいて放送音声信号生成手段１２２によって生成され、音量データ表示手段１２５に出力されると共に、通信手段１２３によって放送受信装置１３０に送信され、放送受信装置１３０の通信手段１３１によって受信され、放送音声増幅手段１３３によって増幅される。
【００３１】
次に、増幅放送音声信号は、放送音声増幅手段１３３によって生成され、回線選択手段１３４を介して音声出力手段１３５によって音声となって出力される。
【００３２】
一方、通信手段１３１によって受信された放送音声信号は、受信音量データ生成手段１３２に出力される。
【００３３】
次に、受信音量データは、放送音声信号に基づいて受信音量データ生成手段１３２によって生成され、通信手段１３１に出力され、通信手段１３１によって放送装置１２０に送信され、放送装置１２０の通信手段１２３によって音量データ表示手段１２５に出力される。
【００３４】
次に、放送音声音量データ及び受信音量データは、音量データ表示手段１２５によって処理されて視覚的に表示される。
【００３５】
以上説明したように、本発明の第１の実施の形態の放送システムは、送信側で設定した放送音声信号の再生音量データと、放送音声信号を受信側で再生したときの音量データとを放送装置側で視覚的に表示して比較できるため、放送装置側で音声出力状況を監視して放送受信装置側での監視を不要とし、もって運用のコストダウンを図ることができる。
【００３６】
（第２の実施の形態）
図２は、本発明の第２の実施の形態の放送システムのシステム構成を示す図である。本発明の第２の実施の形態の放送システム２００は、音声信号を送信する放送装置２２０、受信した音声信号に応じて音声を出力する放送受信装置２３０、種々の信号を伝送するネットワーク１４０、及び放送装置２２０を制御する操作器１１０によって構成される。
また、放送装置２２０は、音声コンテンツを選択させる音声コンテンツ選択手段１２１、放送音声信号を生成する放送音声信号生成手段１２２、放送受信装置２３０との種々の信号を送受する通信手段２２３、放送音声の音量データを生成する放送音声音量データ生成手段１２４、及び音量データを視覚的に表示する音量データ表示手段２２５によって構成される。
放送受信装置２３０は、放送装置２２０との種々の信号を送受する通信手段２３１、受信音量データを生成する受信音量データ生成手段１３２、受信した放送音声信号を増幅する放送音声増幅手段１３３、各回線の開閉を選択させ選択された各回線を介して増幅放送音声信号を伝送する回線選択手段１３４、増幅放送音声信号に応じて音声を出力する音声出力手段１３５、及び増幅音量データを生成する増幅音量データ生成手段２３６によって構成される。
なお、本発明の第２の実施の形態の放送システム２００を構成する手段のうち、本発明の第１の実施の形態の放送システム１００を構成する手段と同様の処理を行うものには同一の符号を付し、それぞれの説明を省略する。
【００３７】
増幅音量データ生成手段２３６は、回線選択手段１３４によって各回線を介して伝送された増幅放送音声信号が入力され、増幅放送音声信号に基づいて各回線毎の増幅音量データを生成し、生成された各回線毎の各増幅音量データを通信手段２３１に出力するようになっている。
【００３８】
通信手段２３１は、本発明の受信手段及び音量データ送信手段を構成し、放送装置２２０によって送信された放送音声信号をネットワーク１４０を介して受信し、受信された放送音声信号を受信音量データ生成手段１３２と放送音声増幅手段１３３とに出力するようになっている。
また、通信手段２３１には、受信音量データ生成手段１３２によって出力された受信音量データが入力され、受信音量データを放送装置２２０にネットワーク１４０を介して送信する。
また、通信手段２３１は、受信音量データ生成手段１３２によって出力された受信音量データと、増幅音量データ生成手段２３６によって出力された各増幅音量データが入力される。通信手段２３１は、受信音量データに加えて各増幅音量データを放送装置２２０にネットワーク１４０を介して送信するようになっている。
なお、通信手段２３１が行う送受信は、インターネットプロトコルに準拠したものでもよい。
【００３９】
通信手段２２３は、本発明の信号送信手段及び音量データ受信手段を構成し、放送音声信号を各放送受信装置２３０にネットワーク１４０を介して送信するようになっている。
通信手段２２３には、放送音声信号生成手段１２２によって出力された放送音声信号が入力され、放送音声信号に含まれる宛先の情報に基づいて放送受信装置２３０に放送音声信号をネットワーク１４０を介して送信するようになっている。
また、通信手段２２３は、各放送受信装置２３０によって送信された受信音量データをネットワーク１４０を介して受信し、受信された受信音量データを音量データ表示手段２２５に出力するようになっている。
また、通信手段２２３は、放送受信装置２３０によって送信された各増幅音量データを受信音量データに加えて、ネットワーク１４０を介して受信するようになっている。通信手段２２３は、受信音量データと各増幅音量データとを音量データ表示手段２２５に出力するようになっている。
なお、通信手段２２３が行う送受信は、インターネットプロトコルに準拠したものでもよい。
【００４０】
音量データ表示手段２２５は、受信音量データと放送音声音量データとに加えて受信された各増幅音量データを視覚的に表示するようになっている。
図３は、音量データ表示手段２２５のブロック構成の一例を示す図である。図３において、音量データ表示手段２２５は、放送音声音量データ処理手段３０１、受信音量データ処理手段３０２、増幅音量データ処理手段３０３、遅延処理手段３０４、及び表示装置３０５によって構成されている。
【００４１】
放送音声音量データ処理手段３０１は、放送音声音量データ生成手段１２４によって出力された放送音声音量データが入力され、放送音声音量データを表示装置３０５に表示するための処理、例えば、デシベル単位で表示するための処理を施して遅延処理手段３０４に出力するようになっている。
【００４２】
受信音量データ処理手段３０２は、通信手段２２３によって出力された受信音量データを表示装置３０５に表示するための処理、例えば、受信音量データが音声信号である場合には、デシベル単位で表示するための処理を施して、表示装置３０５に出力するようになっている。
【００４３】
増幅音量データ処理手段３０３は、通信手段２２３によって出力された各増幅音量データを表示装置３０５に表示するための処理、例えば、増幅音量データが音声信号である場合には、デシベル単位で表示するための処理を施して、表示装置３０５に出力するようになっている。
【００４４】
遅延処理手段３０４は、放送装置２２０から放送受信装置２３０までの放送音声信号の伝送時間と放送受信装置２３０から放送装置２２０までの受信音量データの伝送時間とを加算して得られる表示遅延時間を予め登録し、放送音声音量データを表示遅延時間だけ遅延して表示装置３０５に出力するようになっている。例えば、遅延処理手段３０４には、放送音声音量データ処理手段３０１によって出力された放送音声音量データが入力され、予め登録されている表示遅延時間が経過するまで放送音声音量データを蓄積し、蓄積された放送音声音量データを表示装置３０５に出力するようになっている。
【００４５】
表示装置３０５は、遅延処理手段３０４によって出力された放送音声音量データ、受信音量データ処理手段３０２によって出力された受信音量データ、及び増幅音量データ処理手段３０３によって出力された各増幅音量データが入力され、これらの音量データを表示するようになっている。例えば、表示装置３０５には、発光ダイオード、液晶ディスプレイ、またはプラズマディスプレイなどが用いられてもよい。
【００４６】
図４は、表示装置の音量レベル表示部を示す図である。図４において、モニタ４０１の中には、放送音声信号の音量をレベル表示する放送音声音量レベル表示部４０２、受信された放送音声の音量をレベル表示する受信音量レベル表示部４０３、増幅放送音声信号の音量をレベル表示する増幅音量レベル表示部４０４が表示されるようになっている。なお、増幅音量レベル表示部４０４の中には、増幅音量データ生成手段２３６で説明したように、各回線毎の増幅放送音声信号の音量を、回線の増幅音量レベル表示部４０５にレベル表示するようになっている。
図４において、受信音量レベル表示部４０３は１つだけ表示しているが、勿論、放送受信装置毎に表示してもよい。
【００４７】
以下、放送システム２００の放送装置２２０及び放送受信装置２３０の動作について説明する。
まず、増幅放送音声信号は、回線選択手段１３４によって各回線を介して伝送され、増幅音量データ生成手段２３６に出力される。
【００４８】
次に、各回線毎の増幅音量データは、増幅放送音声信号に基づいて増幅音量データ生成手段２３６によって生成されて通信手段２３１に出力され、通信手段２３１によって放送装置２２０に送信され、放送装置２２０の通信手段２２３によって受信されて音量データ表示手段２２５に出力される。
【００４９】
次に、放送音声音量データ、受信音量データ、及び各回線毎の増幅音量データは、音量データ表示手段２２５によって処理されて視覚的に表示される。
【００５０】
以上説明したように、本発明の第２の実施の形態の放送システムは、送信側で設定した放送音声信号の再生音量データと、放送音声信号を受信側で再生したときの音量データと、増幅放送音声信号の音量データとを放送装置側で視覚的に表示して比較できるため、放送受信装置に音声が出力されないといった問題発生時の被疑個所を容易に特定できる。
【００５１】
（第３の実施の形態）
図５は、本発明の第３の実施の形態の放送システムのシステム構成を示す図である。本発明の第３の実施の形態の放送システム３００は、音声信号を送信する放送装置３２０、受信した音声信号に応じて音声を出力する放送受信装置３３０、種々の信号を伝送するネットワーク１４０、及び放送装置３２０を制御する操作器１１０によって構成される。
また、放送装置３２０は、音声コンテンツを選択させる音声コンテンツ選択手段１２１、放送音声信号を生成する放送音声信号生成手段１２２、放送受信装置３３０との種々の信号を送受する通信手段３２３、放送音声の音量データを生成する放送音声音量データ生成手段１２４、音量データを視覚的に表示する音量データ表示手段２２５、及び受信音量データ量調節信号と増幅音量データ量調節信号とを生成する音量データ量調節信号生成手段３２６によって構成される。
放送受信装置３３０は、放送装置３２０との種々の信号を送受する通信手段３３１、受信音量データを生成する受信音量データ生成手段３３２、受信した放送音声信号を増幅する放送音声増幅手段１３３、各回線の開閉を選択させ選択された各回線を介して増幅放送音声信号を伝送する回線選択手段１３４、増幅放送音声信号に応じて音声を出力する音声出力手段１３５、及び増幅音量データを生成する増幅音量データ生成手段３３６によって構成される。
なお、本発明の第３の実施の形態の放送システム３００を構成する手段のうち、本発明の第２の実施の形態の放送システム２００を構成する手段と同様の処理を行うものには同一の符号を付し、それぞれの説明を省略する。
【００５２】
音量データ量調節信号生成手段３２６は、受信音量データのデータ量を調節するための受信音量データ量調節信号と増幅音量データのデータ量を調節するための増幅音量データ量調節信号とを生成するようになっている。音量データ量調節信号生成手段３２６は、受信音量データ量調節信号と増幅音量データ量調節信号とを通信手段３２３に出力するようになっている。
【００５３】
通信手段３２３は、本発明の信号送信手段及び音量データ受信手段を構成し、放送音声信号を各放送受信装置３３０にネットワーク１４０を介して送信するようになっている。
通信手段３２３には、放送音声信号生成手段１２２によって出力された放送音声信号が入力され、放送音声信号に含まれる宛先の情報に基づいて放送受信装置３３０に放送音声信号をネットワーク１４０を介して送信するようになっている。
また、通信手段３２３は、各放送受信装置３３０によって送信された受信音量データをネットワーク１４０を介して受信し、受信された受信音量データを音量データ表示手段２２５に出力するようになっている。
また、通信手段３２３は、放送受信装置３３０によって送信された各増幅音量データを受信音量データに加えて、ネットワーク１４０を介して受信するようになっている。通信手段３２３は、受信音量データと各増幅音量データとを音量データ表示手段２２５に出力するようになっている。
また、通信手段３２３には、音量データ量調節信号生成手段３２６によって出力された受信音量データ量調節信号と増幅音量データ量調節信号とが入力され、受信音量データ量調節信号と増幅音量データ量調節信号とを放送受信装置３３０にネットワーク１４０を介して送信するようになっている。
なお、通信手段３２３が行う送受信は、インターネットプロトコルに準拠したものでもよい。
【００５４】
通信手段３３１は、本発明の受信手段及び音量データ送信手段を構成し、放送装置３２０によって送信された放送音声信号をネットワーク１４０を介して受信し、受信された放送音声信号を受信音量データ生成手段３３２と放送音声増幅手段１３３とに出力するようになっている。
また、通信手段３３１には、受信音量データ生成手段３３２によって出力された受信音量データが入力され、受信音量データを放送装置３２０にネットワーク１４０を介して送信する。
また、通信手段３３１は、受信音量データ生成手段３３２によって出力された受信音量データと、増幅音量データ生成手段３３６によって出力された各増幅音量データが入力される。通信手段３３１は、受信音量データに加えて各増幅音量データを放送装置３２０にネットワーク１４０を介して送信するようになっている。
また、通信手段３３１は、放送装置３２０によって送信された受信音量データ量調節信号と増幅音量データ量調節信号とを受信し、受信された受信音量データ量調節信号を受信音量データ生成手段３３２に出力し、増幅音量データ量調節信号を増幅音量データ生成手段３３６に出力するようになっている。
なお、通信手段３３１が行う送受信は、インターネットプロトコルに準拠したものでもよい。
【００５５】
受信音量データ生成手段３３２は、通信手段３３１によって出力された放送音声信号に基づいて受信音量データを生成し、生成された受信音量データを通信手段３３１に出力するようになっている。また、受信音量データ生成手段３３２には、通信手段３３１によって出力された受信音量データ量調節信号が入力される。
【００５６】
なお、受信音量データ生成手段３３２は、受信音量データを所定の基準値からの相対値として、例えば、デシベル単位で表させる値として生成してもよい。また、受信音量データ生成手段３３２は、受信音量データを量子化して所定のビット数のデジタルデータとして生成してもよい。例えば、図４の受信音量レベル表示部４０３は、８段階で表示されているため、所定のビット数は、８段階表示に合わせて０から８までを示すことができるビット数、すなわち４ビットでもよい。
【００５７】
図６（ａ）は、受信音量データ生成手段３３２のブロック構成の一例を示す図である。
図６（ａ）において、受信音量データ生成手段３３２は、低域通過フィルタ６０１、サンプリング手段６０２、及び受信音量データ量調節手段６０３によって構成されている。
【００５８】
低域通過フィルタ６０１には、通信手段３３１によって出力された放送音声信号が入力され、放送音声信号の低周波成分を通過させ、通過した信号をサンプリング手段６０２に出力するようになっている。なお、低域通過フィルタ６０１は、アナログ方式、デジタル方式を問わない。また、低域通過フィルタ６０１は、通過した信号に基づいて受信音量データを生成し、生成された受信音量データを通信手段３３１に出力をするようにしてもよい。
【００５９】
サンプリング手段６０２は、低域通過フィルタ６０１を通過した信号を所定時間間隔でサンプリングして受信音量データを生成し、生成された受信音量データを通信手段３３１に出力するようになっている。また、サンプリング手段６０２は、低域通過フィルタ６０１を介さずに通信手段３３１によって出力された放送音声信号を所定時間間隔でサンプリングして受信音量データを生成するようにしてもよい。
【００６０】
受信音量データ量調節手段６０３は、通信手段３３１によって出力された受信音量データ量調節信号が入力され、受信音量データ量調節信号に基づいて低域通過フィルタ６０１が信号を通過させる周波数の範囲、サンプリング手段６０２がサンプリングする時間間隔などを決定するようになっている。
【００６１】
増幅音量データ生成手段３３６には、回線選択手段１３４によって各回線を介して伝送された増幅放送音声信号が入力され、増幅放送音声信号に基づいて各回線毎の増幅音量データを生成し、生成された各回線毎の各増幅音量データを通信手段３３１に出力するようになっている。また、増幅音量データ生成手段３３６には、通信手段３３１によって出力された増幅音量データ量調節信号が入力される。
【００６２】
なお、増幅音量データ生成手段３３６は、増幅音量データを所定の基準値からの相対値として、例えば、デシベル単位で表させる値として生成してもよい。また、増幅音量データ生成手段３３６は、増幅音量データを量子化して所定のビット数のデジタルデータとして生成してもよい。例えば、図４の増幅音量レベル表示部４０４内の回線の増幅音量レベル表示部４０５は、８段階で表示されているため、所定のビット数は、８段階表示に合わせて０から８までを示すことができるビット数、すなわち４ビットでもよい。
【００６３】
図６（ｂ）は、増幅音量データ生成手段３３６のブロック構成の一例を示す図である。
図６（ｂ）において、増幅音量データ生成手段３３６は、電圧変換手段６１１、低域通過フィルタ６１２、サンプリング手段６１３、及び増幅音量データ量調節手段６１４によって構成されている。
【００６４】
電圧変換手段６１１には、回線選択手段１３４によって各回線を介して伝送された増幅放送音声信号が入力され、増幅放送音声信号の出力特性を放送装置３２０と合わせて低域通過フィルタ６１２に出力するようになっている。なお、電圧変換手段６１１の絶縁にはトランス等が用いられ、放送装置３２０との電圧差がある場合に有効である。
【００６５】
低域通過フィルタ６１２には、電圧変換手段６１１によって出力された増幅放送音声信号が入力され、増幅放送音声信号の低周波成分を通過させ、通過した信号をサンプリング手段６１３に出力するようになっている。なお、低域通過フィルタ６０１は、アナログ方式、デジタル方式を問わない。また、低域通過フィルタ６１２は、通過した信号に基づいて増幅音量データを生成し、生成された増幅音量データを通信手段３３１に出力をするようにしてもよい。
【００６６】
サンプリング手段６１３は、低域通過フィルタ６１２を通過した信号を所定時間間隔でサンプリングして増幅音量データを生成し、生成された増幅音量データを通信手段３３１に出力するようになっている。サンプリング手段６０２は、低域通過フィルタ６１２を介さずに通信手段３３１によって出力された放送音声信号を所定時間間隔でサンプリングして増幅音量データを生成するようにしてもよい。
【００６７】
増幅音量データ量調節手段６１４は、通信手段３３１によって出力された増幅音量データ量調節信号が入力され、増幅音量データ量調節信号に基づいて低域通過フィルタ６１２が信号を通過させる周波数の範囲、サンプリング手段６１３がサンプリングする時間間隔などを決定するようになっている。
【００６８】
以下、放送システム３００の放送装置３２０及び放送受信装置３３０の動作について説明する。
まず、受信音量データ量調節信号は、音量データ量調節信号生成手段３２６によって生成されて通信手段３２３に出力され、通信手段３２３によって放送受信装置３３０に送信され、放送受信装置３３０の通信手段３３１によって受信され、受信音量データ生成手段３３２に出力される。また、増幅音量データ量調節信号は、音量データ量調節信号生成手段３２６によって生成されて通信手段３２３に出力され、通信手段３２３によって放送受信装置３３０に送信され、放送受信装置３３０の通信手段３３１によって受信され、増幅音量データ生成手段３３６に出力される。
【００６９】
次に、放送音声信号を通過させる周波数の範囲、サンプリングする時間間隔等は、受信音量データ量調節信号に基づいて受信音量データ生成手段３３２を構成する受信音量データ量調節手段６０３によって決定される。
【００７０】
次に、通信手段３３１によって出力された放送音声信号は、受信音量データ生成手段３３２に出力され、低域通過フィルタ６０１によって低周波成分の信号が通過する。低域通過フィルタ６０１を通過した低周波成分の信号は、サンプリング手段６０２によって所定時間間隔でサンプリングされる。受信音量データは、サンプリングされた低周波成分の信号から生成され、通信手段３３１によって放送装置３２０に送信される。
【００７１】
一方、増幅放送音声信号を通過させる周波数の範囲、サンプリングする時間間隔等は、増幅音量データ量調節信号に基づいて増幅音量データ生成手段３３６を構成する増幅音量データ量調節手段６１４によって決定される。
【００７２】
次に、回線選択手段１３４によって各回線を介して伝送された増幅放送音声信号は、増幅音量データ生成手段３３６に出力され、電圧変換手段６１１を介して低域通過フィルタ６１２によって低周波成分の信号が通過する。低域通過フィルタ６１２を通過した低周波成分の信号は、サンプリング手段６１３によって所定時間間隔でサンプリングされる。増幅音量データは、サンプリングされた低周波成分の信号から生成され、通信手段３３１によって放送装置３２０に送信される。
【００７３】
以上説明したように、本発明の第３の実施の形態の放送システムは、放送音声信号の受信音量データと増幅放送音声信号の音量データとのデータ量を削減できるため、放送装置およびネットワークの負荷を軽減できる。
【００７４】
（第４の実施の形態）
図７は、本発明の第４の実施の形態の放送システムのシステム構成を示す図である。本発明の第４の実施の形態の放送システム４００は、音声信号を送信する放送装置４２０、受信した音声信号に応じて音声を出力する放送受信装置４３０、種々の信号を伝送するネットワーク１４０、及び放送装置４２０を制御する操作器１１０によって構成される。
また、放送装置４２０は、音声コンテンツを選択させる音声コンテンツ選択手段１２１、放送音声信号を生成する放送音声信号生成手段１２２、放送受信装置４３０との種々の信号を送受する通信手段４２３、放送音声の音量データを生成する放送音声音量データ生成手段１２４、音量データを視覚的に表示する音量データ表示手段２２５、受信音量データ量調節信号と増幅音量データ量調節信号とを生成する音量データ量調節信号生成手段３２６、各回線の開閉を選択する信号を生成する回線選択信号生成手段４２７、及び音量や音質を調節する信号を生成する音調節信号生成手段４２８によって構成される。
放送受信装置４３０は、放送装置４２０との種々の信号を送受する通信手段４３１、受信音量データを生成する受信音量データ生成手段３３２、受信した放送音声信号を増幅する放送音声増幅手段４３３、各回線の開閉を選択させ選択された各回線を介して増幅放送音声信号を伝送する回線選択手段４３４、増幅放送音声信号に応じて音声を出力する音声出力手段１３５、及び増幅音量データを生成する増幅音量データ生成手段３３６によって構成される。
なお、本発明の第４の実施の形態の放送システム４００を構成する手段のうち、本発明の第３の実施の形態の放送システム３００を構成する手段と同様の処理を行うものには同一の符号を付し、それぞれの説明を省略する。
【００７５】
回線選択信号生成手段４２７は、各放送受信装置４３０の各回線の開閉を選択するための回線選択信号を生成するようになっている。回線選択信号生成手段４２７は、生成された回線選択信号を通信手段４２３に出力するようになっている。
【００７６】
音調節信号生成手段４２８は、音声の音量と音質とを示す音声調節信号を生成するようになっている。音調節信号生成手段４２８は、生成された音声調節信号を通信手段４２３に出力するようになっている。
【００７７】
通信手段４２３は、本発明の信号送信手段及び音量データ受信手段を構成し、放送音声信号を各放送受信装置４３０にネットワーク１４０を介して送信するようになっている。
通信手段４２３には、放送音声信号生成手段１２２によって出力された放送音声信号が入力され、放送音声信号に含まれる宛先の情報に基づいて放送受信装置４３０に放送音声信号をネットワーク１４０を介して送信するようになっている。
また、通信手段４２３は、各放送受信装置４３０によって送信された受信音量データをネットワーク１４０を介して受信し、受信された受信音量データを音量データ表示手段２２５に出力するようになっている。
また、通信手段４２３は、放送受信装置４３０によって送信された各増幅音量データを受信音量データに加えて、ネットワーク１４０を介して受信するようになっている。通信手段４２３は、受信音量データと各増幅音量データとを音量データ表示手段２２５に出力するようになっている。
また、通信手段４２３には、音量データ量調節信号生成手段３２６によって出力された受信音量データ量調節信号と増幅音量データ量調節信号とを入力され、受信音量データ量調節信号と増幅音量データ量調節信号とを放送受信装置４３０にネットワーク１４０を介して送信するようになっている。
また、通信手段４２３には、回線選択信号生成手段４２７によって出力された回線選択信号が入力され、回線選択信号を放送受信装置４３０にネットワーク１４０を介して送信するようになっている。
また、通信手段４２３には、音調節信号生成手段４２８によって出力された音声調節信号が入力され、音声調節信号を放送受信装置４３０にネットワーク１４０を介して送信するようになっている。
なお、通信手段４２３が行う送受信は、インターネットプロトコルに準拠したものでもよい。
【００７８】
通信手段４３１は、本発明の受信手段及び音量データ送信手段を構成し、放送装置４２０によって送信された放送音声信号をネットワーク１４０を介して受信し、受信された放送音声信号を受信音量データ生成手段３３２と放送音声増幅手段４３３とに出力するようになっている。
また、通信手段４３１には、受信音量データ生成手段３３２によって出力された受信音量データが入力され、受信音量データを放送装置４２０にネットワーク１４０を介して送信する。
また、通信手段４３１は、受信音量データ生成手段３３２によって出力された受信音量データと、増幅音量データ生成手段３３６によって出力された各増幅音量データが入力される。通信手段４３１は、受信音量データに加えて各増幅音量データを放送装置４２０にネットワーク１４０を介して送信するようになっている。
また、通信手段４３１は、放送受信装置４３０によって送信された受信音量データ量調節信号と増幅音量データ量調節信号とを受信し、受信された受信音量データ量調節信号を受信音量データ生成手段３３２に出力し、増幅音量データ量調節信号を増幅音量データ生成手段３３６に出力するようになっている。
また、通信手段４３１は、放送受信装置４３０によって送信された回線選択信号と音声調節信号とを受信し、受信された回線選択信号を回線選択手段４３４に出力し、音声調節信号を放送音声増幅手段４３３に出力するようになっている。なお、通信手段４３１が行う送受信は、インターネットプロトコルに準拠したものでもよい。
【００７９】
放送音声増幅手段４３３は、放送音声信号を増幅して増幅放送音声信号を生成するようになっている。
放送音声増幅手段４３３には、通信手段４３１によって出力された放送音声信号が入力され、放送音声信号を増幅して生成した増幅放送音声信号を回線選択手段４３４に出力するようになっている。
また、放送音声増幅手段４３３は、通信手段４３１によって出力された音声調節信号が入力され、音声調節信号に基づいて放送音声信号を変換し、音声の音量と音質とを調節するようになっている。
【００８０】
回線選択手段４３４は、放送音声増幅手段４３３を各音声出力手段１３５に電気的に接続する音声出力手段１３５毎の各回線の開閉を選択させる回線毎のスイッチからなっている。回線選択手段４３４は、通信手段４３１によって出力された回線選択信号に基づいて各回線の開閉を選択し、選択された回線を閉じるようになっている。回線選択手段４３４は、放送音声増幅手段４３３によって出力された増幅放送音声信号が入力され、選択され閉じた各回線を介して音声出力手段１３５に増幅放送音声信号を伝送するようになっている。
【００８１】
以下、放送システム４００の放送装置４２０及び放送受信装置４３０の動作について説明する。
まず、回線選択信号は、回線選択信号生成手段４２７によって生成され、通信手段４２３によって放送受信装置４３０に送信され、放送受信装置４３０の通信手段４３１によって受信され、回線選択手段４３４に出力される。
【００８２】
各回線の開閉は、回線選択信号に基づいて回線選択手段４３４によって選択される。ここで、選択された回線が閉じ、閉じた回線を介して増幅放送音声信号が音声出力手段１３５に伝送される。
【００８３】
また、音声調節信号は、音調節信号生成手段４２８によって生成され、通信手段４２３によって放送受信装置４３０に送信され、放送受信装置４３０の通信手段４３１によって受信され、放送音声増幅手段４３３に出力される。
【００８４】
音声の音量と音質は、音声調節信号に基づいて放送音声増幅手段４３３によって調節される。
【００８５】
以上説明したように、本発明の第４の実施の形態の放送システムは、音量調整、音質調整や回線選択が複数の受信装置毎に行なえ、それを音量データ表示手段で確認することができ、放送受信装置の音量、音質及び回線を放送装置で操作するため、放送受信装置の音声出力状況を確認でき、放送受信装置の管理を容易にすることができる。
【００８６】
（第５の実施の形態）
図８は、本発明の第５の実施の形態の放送システムのシステム構成を示す図である。本発明の第５の実施の形態の放送システム５００は、音声信号を送信する放送装置５２０、受信した音声信号に応じて音声を出力する放送受信装置５３０、種々の信号を伝送するネットワーク１４０、及び放送装置５２０を制御する操作器１１０によって構成される。
また、放送装置５２０は、音声コンテンツを選択させる音声コンテンツ選択手段１２１、放送音声信号を生成する放送音声信号生成手段５２２、放送受信装置５３０との種々の信号を送受する通信手段４２３、放送音声の音量データを生成する放送音声音量データ生成手段１２４、音量データを視覚的に表示する音量データ表示手段２２５、受信音量データ量調節信号と増幅音量データ量調節信号とを生成する音量データ量調節信号生成手段３２６、各回線の開閉を選択する信号を生成する回線選択信号生成手段４２７、及び音量や音質を調節する信号を生成する音調節信号生成手段４２８によって構成される。
放送受信装置５３０は、放送装置５２０との種々の信号を送受する通信手段４３１、受信音量データを生成する受信音量データ生成手段３３２、
放送音声信号の宛先に基づいて放送音声信号を放送出力手段５４０に振り分ける宛先振分手段５３７、及び放送音声信号を聴覚的に出力する各放送出力手段５４０によって構成される。
放送出力手段５４０は、受信した放送音声信号を増幅する放送音声増幅手段４３３、各回線の開閉を選択させ選択された各回線を介して増幅放送音声信号を伝送する回線選択手段４３４、増幅放送音声信号に応じて音声を出力する音声出力手段１３５、及び増幅音量データを生成する増幅音量データ生成手段３３６によって構成される。
なお、本発明の第５の実施の形態の放送システム５００を構成する手段のうち、本発明の第４の実施の形態の放送システム４００を構成する手段と同様の処理を行うものには同一の符号を付し、それぞれの説明を省略する。
【００８７】
放送音声信号生成手段５２２は、選択された音声コンテンツに基づいて放送音声信号を生成するようになっている。放送音声信号生成手段５２２には、音声コンテンツ選択手段１２１によって出力された音声コンテンツが入力され、音声コンテンツに基づいて放送音声信号を生成し、生成された放送音声信号を放送音声音量データ生成手段１２４に出力すると共に、放送音声信号に指定された放送受信装置５３０の宛先と放送出力手段５４０の宛先とを示す情報を含めて通信手段４２３に出力するようになっている。
【００８８】
宛先振分手段５３７は、通信手段４３１によって出力された放送音声信号が入力され、放送音声信号に含まれる宛先を示す情報に基づいて各放送出力手段５４０に放送音声信号を出力するようになっている。
【００８９】
放送出力手段５４０は、宛先振分手段５３７によって出力された放送音声信号が入力され、放送音声信号に応じて音声を出力するようになっている。なお、放送出力手段５４０は、百貨店の本店、各支店などの各フロアーに設置し、１階ではクリスマスなどのイベント用の放送、同じ時刻に、２階では業務用アナウンスを放送してもよい。
【００９０】
以下、放送システム５００の放送装置５２０及び放送受信装置５３０の動作について説明する。
まず、音声コンテンツは、操作器１１０によって選択され、音声コンテンツ選択手段１２１によってアナウンスされる音声等と合成され、放送音声信号生成手段５２２に出力される。
【００９１】
次に、放送音声信号は、音声コンテンツに基づいて放送音声信号生成手段５２２によって生成され、放送受信装置５３０の宛先と放送出力手段５４０の宛先とを示す情報が含まれて通信手段４２３によって放送受信装置５３０に送信され、放送受信装置５３０の通信手段４３１によって受信され、宛先振分手段５３７に出力される。
【００９２】
次に、放送音声信号は、宛先振分手段５３７によって放送音声信号に含まれる宛先を示す情報に基づいて各放送出力手段５４０に出力されて放送音声増幅手段４３３に出力される。
【００９３】
次に、増幅放送音声信号は、放送音声増幅手段４３３によって生成され、回線選択手段４３４を介して音声出力手段１３５によって音声となって出力される。なお、音声の音量と音質とを調節する音声調節信号も宛先振分手段５３７によって振り分けられ、各放送音声増幅手段４３３毎に動作する。
【００９４】
以上説明したように、本発明の第５の実施の形態の放送システムは、放送される場所が複数存在した場合でも、音声出力状況を放送装置で監視することができる。
【００９５】
【発明の効果】
以上説明したように、本発明は、送信側で設定した放送音声信号の再生音量データと、放送音声信号を受信側で再生したときの音量データとを放送装置側で視覚的に表示して比較できるため、放送装置側で音声出力状況を監視して放送受信装置側での監視を不要とし、もって運用のコストダウンを図ることができる放送システムを提供するものである。
【図面の簡単な説明】
【図１】本発明の第１の実施の形態の放送システムのシステム構成を示す図
【図２】本発明の第２の実施の形態の放送システムのシステム構成を示す図
【図３】音量データ表示手段のブロック構成の一例を示す図
【図４】表示装置の音量レベル表示部を示す図
【図５】本発明の第３の実施の形態の放送システムのシステム構成を示す図
【図６】受信音量データ生成手段及び増幅音量データ生成手段のブロック構成の一例を示す図
【図７】本発明の第４の実施の形態の放送システムのシステム構成を示す図
【図８】本発明の第５の実施の形態の放送システムのシステム構成を示す図
【符号の説明】
１００、２００、３００、４００、５００  放送システム
１１０  操作器
１２０、２２０、３２０、４２０、５２０  放送装置
１２１  音声コンテンツ選択手段
１２２、５２２  放送音声信号生成手段
１２３、２２３、３２３、４２３  通信手段
１２４  放送音声音量データ生成手段
１２５、２２５  音量データ表示手段
１３０、２３０、３３０、４３０、５３０  放送受信装置
１３１、２３１、３３１、４３１  通信手段
１３２、３３２  受信音量データ生成手段
１３３、４３３  放送音声増幅手段
１３４、４３４  回線選択手段
１３５  音声出力手段
１４０  ネットワーク
２３６、３３６  増幅音量データ生成手段
３０１  放送音声音量データ処理手段
３０２  受信音量データ処理手段
３０３  増幅音量データ処理手段
３０４  遅延処理手段
３０５  表示装置
３２６  音量データ量調節信号生成手段
４０１  モニタ
４０２  放送音声音量レベル表示部
４０３  受信音量レベル表示部
４０４  増幅音量レベル表示部
４０５  回線の増幅音量レベル表示部
４２７  回線選択信号生成手段
４２８  音調節信号生成手段
５３７  宛先振分手段
６０１、６１２  低域通過フィルタ
６０２、６１３  サンプリング手段
６０３  受信音量データ量調節手段
６１１  電圧変換手段
６１４  増幅音量データ量調節手段
【図１】
2004221929.tif 000003
【図２】
2004221929.tif 000004
【図３】
2004221929.tif 000005
【図４】
2004221929.tif 000006
【図５】
2004221929.tif 000007
【図６】
2004221929.tif 000008
【図７】
2004221929.tif 000009
【図８】
2004221929.tif 000010